(57)【要約】【課題】  水路壁等の連続するコンクリート建造物の建造において、作業性を向上し、工期を短縮する。【課題手段】  建造するべきコンクリート建造物５０面の連続する方向における一部分に相対配置される複数のコンクリートパネル２と、複数のコンクリートパネル２に一体に設けられ複数のコンクリートパネル２を前記建造物５０面への相対位置から離反させる離反機構４、６、８、１０、１５、１７、２２と、複数のコンクリートパネル２と離反機構４、６、８、１０、１５、１７、２２とを一体に建造物５０面の連続する方向に沿って移動させる移動機構９、４０とを備えてなることを特徴とするコンクリート建造物の建造装置。【選択図】図１
2008240391.tif 000002
【特許請求の範囲】
【請求項１】
建造するべきコンクリート建造物面の連続する方向における一部分に相対配置される複数のコンクリートパネルと、
前記複数のコンクリートパネルに一体に設けられ前記複数のコンクリートパネルを前記建造物面への相対位置から離反させる離反機構と、
前記複数のコンクリートパネルと前記離反機構とを一体に前記建造物面の連続する方向に沿って移動させる移動機構と、
を備えてなることを特徴とするコンクリート建造物の建造装置。
【発明の詳細な説明】
【技術分野】
【０００１】
この発明は、水路壁等の連続するコンクリート建造物の建造装置に関する。
【背景技術】
【０００２】
治水工事として水路のコンクリート舗装工事がある。その際には水路の底面にくわえて両側の傾斜する水路壁面を水路に沿って順次コンクリート舗装することとなる。
【発明の開示】
【発明が解決しようとする課題】
【０００３】
現状、上記の水路壁面の水路に沿ってのコンクリート舗装工事には多大な労力、長い施工期間を要している。これは、コンクリート舗装に際しては所定位置にコンクリートパネルを組み、そのコンクリートパネルの内側にコンクリートを流し込み固化させ、その後コンクリートパネルを取り外す作業を必要とするが、水路壁は長く連続するのでその連続する方向に沿って順次上記の施工作業を繰り返し行わなければならないことを理由とする。コンクリートパネルの組み付け、取り外し作業はきわめて手間のかかる作業である。
【０００４】
この発明は上記の事情に鑑みて行ったもので、水路壁等の連続するコンクリート建造物の建造において、作業性を向上し、工期を短縮することを目的とする。
【課題を解決するための手段】
【０００５】
この発明では、建造するべきコンクリート建造物面の連続する方向における一部分に相対配置される複数のコンクリートパネルと、前記複数のコンクリートパネルに一体に設けられ前記複数のコンクリートパネルを前記建造物面への相対位置から離反させる離反機構と、前記複数のコンクリートパネルと前記離反機構とを一体に前記建造物面の連続する方向に沿って移動させる移動機構とを備えてなることを特徴とするコンクリート建造物の建造装置を提供する。
【０００６】
上記構成の建造装置によれば、連続するコンクリート建造物を一部ずつ形成していくに際し、建造装置のコンクリートパネルをコンクリート建造物の建造後そのコンクリート面から離反でき、かつ、建造装置を一体に移動できることで、コンクリート建造物を一部形成する毎にコンクリートパネルの組付け、取り外しを繰り返し行わなくてすむ。
【発明の効果】
【０００７】
この発明によれば、水路壁等の連続するコンクリート建造物の建造において、作業性が向上され、工期の格段の短縮が可能となった。
【発明を実施するための最良の形態】
【０００８】
図１はこの発明のコンクリート建造物の建造装置の外観概略斜視図、図２は正面概略構成図である。
【０００９】
建造装置１において、２は両側に傾斜状に配置される複数枚のコンクリートパネルであり、それらを両側において一体に固定するように複数段に水平桟４が設けられ、さらにコンクリートパネル２と水平桟４とを一体に固定するように傾斜枠６のそれぞれが配置されている。相対する傾斜枠６それぞれの下端は底枠８それぞれにより接続され、傾斜枠６と底枠８とは回動可能に連結されている。底枠８それぞれの下面には一対の移動用の車輪９が取り付けられ、移動の際引っ張られる側の底枠８には前面に係止部１１が設けられ、その係止部１１には引っ張り移動用のウインチ１３が取り付けられている。
【００１０】
傾斜枠６それぞれの下端近傍からは垂直枠１０それぞれが固定状態に上方に延び出し、その途中部に傾斜枠６の上端から延び出す水平枠１２が連結固定されている。垂直枠１０それぞれの上部には連結枠１５それぞれが回動可能に取り付けられ、その端部どうしが連結具１７により連接されている。連結枠１５と連結具１７とは回動可能に連結されている。１８のそれぞれは連結枠１５それぞれの連結固定状態を安定させる固定枠である。底枠８それぞれの上に順次沿うように２本の台枠２０が固定状態に設けられ、それら台枠２０上に所定の間隔をおいて係止用枠２２のそれぞれが固定状態に設けられている。
【００１１】
上記連結具１７の下端には係止穴２３が、上記係止用枠２２の上面には係止部２５がそれぞれ設けられ、係止穴２３に上端が係止された一方側のチェーン４１の下端に一方の係止具２６が係止され、他方側のチェーン４２の下端に取り付けた係止具２７が係止部２５
に係止される状態において、引き揚げ用ウインチ３０が取り付けられている。
【００１２】
上記の水平桟４、傾斜枠６、底枠８、垂直枠１０、連結枠１５、連結具１７、係止用枠２２の連動する一体構成がこの発明の離反機構を構成する。
【００１３】
以下、上記の建造装置１を用いての水路傾斜壁面のコンクリート舗装の施工工程を説明する。
【００１４】
水路内に図１、図２に示す状態に建造装置１を配置する。水路傾斜壁面のコンクリート舗装に先立って水路の底部Ａの舗装を行い、その上面に敷設したレール４０に車輪９を載せるようにして建造装置１を配置する。上記車輪９及びレール４０がこの発明の移動機構を構成する。建造装置１は施工現場において部材それぞれを適宜組み立て完成させる。
【００１５】
まず、両側のコンクリートパネル２それぞれを、下処理を行った水路壁面Ｃに所定の間隔を持つ空間Ｂを介して相対配置させるとともに、コンクリートパネル２の上部および両側における空間Ｂの開放する部分を適宜木枠等で塞ぐ状態とし、空間Ｂ内にコンクリートを流入する。コンクリートの流入はコンクリートパネル２に設けられた窓孔２９を開くことで行い、はじめに下側の窓孔２９それぞれを通して行い、次に上側の窓孔２９それぞれ通して行う。
【００１６】
コンクリート５０の養生固化後周囲の木枠等を外すととともに、固定枠１８それぞれを取り外し、３箇所に取り付けた引き揚げ用のウインチ３０を同時操作することで両側のコンクリートパネル２それぞれをコンクリート５０面それぞれから剥がす。ウインチ３０のチェーン４２の巻取り作用に伴ってウインチ３０が係止用枠２２側に引き下げられ係止具１７が引き下げられると、図３に示すように、水平に位置した連結枠１５それぞれが連結具１７部分で下方に折りたたまれ、これにより両側の垂直枠１０それぞれの上側が内側下方に引き下げられ、これに伴って傾斜枠６、水平桟４に一体のコンクリートパネル２がコンクリート５０面から剥がされる。上記の動作は、傾斜枠６それぞれと底枠８それぞれとが、垂直枠１０それぞれと連結枠１５それぞれとが、さらに、連結枠１５それぞれと連結具１７それぞれとがともに回動可能に連結されており、これら連結部分が折りたたまれることで可能となる。
【００１７】
次に、コンクリート５０面から離脱された建造装置１をウインチ１３を操作することで引っ張る。これにより、車輪９がレール４０上を回転走行することで建造装置１は隣接する次の水路壁面位置に相対する位置まで移動される。そして、上記と同様にしてその部分でコンクリート舗装を行い、さらに、水路に沿って順次コンクリート舗装を行っていく。
【００１８】
上記のように、建造装置１を使用することで水路の一部分のコンクリート舗装を行う毎にコンクリートパネル２の組み付け、取り外しの作業を行なう必要がなく、これにより作業性が向上し、工期も格段に短縮される。
【図面の簡単な説明】
【００１９】
【図１】この発明の建造装置の実施形態の外観概略斜視図
【図２】この発明の建造装置の実施形態の正面概略構成図
【図３】この発明の建造装置の実施形態の図２と異なる状態の正面概略構成図
【符号の説明】
【００２０】
１  コンクリート建造物の建造装置
２  コンクリートパネル
４  水平桟（離反機構）
６  傾斜枠（離反機構）
８  底枠（離反機構）
９  車輪（移動機構）
１０  垂直枠（離反機構）
１５  連結枠（離反機構）
１７  連結具（離反機構）
２２  係止用枠（離反機構）
４０  レール（移動機構）        
【図１】
2008240391.tif 000003
【図２】
2008240391.tif 000004
【図３】
2008240391.tif 000005